(57)【特許請求の範囲】
【請求項１】
圧縮機本体をパッケージ内に収容してなるパッケージ形圧縮機において、
前記パッケージは、ベースの上に複数のフレーム部材が組み合わせられたものに、外壁を周設して、略直方体状に構成されてなり、
前記パッケージの外部から前記圧縮機本体の吸込み口まで通じる吸込みダクトが設けられ、
前記吸込みダクトは、その上面の縁に、外側に突出した鍔部を有し、
前記フレーム部材のうち、上方に位置し、略水平に延びるフレーム部材の上面で、前記吸込みダクトの前記鍔部を支持するよう構成されてなり、
前記吸込みダクトの上面に配設されたパッケージ外壁が、略矩形の平面部とその平面部の周辺から略垂直に下方に延びる周縁部からなるパッケージ外板と、そのパッケージ外板の平面部に付設された吸音材とにより構成されてなり、
前記吸込みダクトの前記鍔部を支持する前記フレーム部材の上面で、且つ、前記吸込みダクトの前記鍔部を支持する部位より外側の部位で、前記パッケージ外壁の周縁部を支持するよう構成されてなることを特徴とするパッケージ形圧縮機。
【請求項２】
前記パッケージ外壁の周縁部の下端部にはパッキンが周設されてなることを特徴とする請求項１に記載のパッケージ形圧縮機。
【請求項３】
前記パッケージ外壁の周縁部と、前記吸音材の周囲との間に間隙が設けられてなり、
前記吸込みダクトの前記鍔部を支持する前記フレーム部材の上面から略垂直に延びる板部材が、前記間隙に位置するよう、設けられてなることを特徴とする請求項１または２に記載のパッケージ形圧縮機。
【請求項４】
前記吸込みダクトの前記鍔部を支持する前記フレーム部材の上面がその端に略垂直に上方に向かって延びる立ち上がり部を有し、
前記鍔部がその端に略垂直に下方に向かって延びる垂下部を有し、前記立ち上がり部が前記垂下部よりも前記吸込みダクト側に位置することを特徴とする請求項１または２に記載のパッケージ形圧縮機。
【発明の詳細な説明】
【技術分野】
【０００１】
本発明は、装置を構成する機器がパッケージ内に収容されたパッケージ形圧縮機に関するものである。
【背景技術】
【０００２】
従来、図１４および図１５に示すパッケージ形圧縮機（パッケージ形油冷式圧縮機１０１）が公知である（特許第3773443号公報参照）。
【０００３】
このパッケージ形油冷式圧縮機１０１において、パッケージ１１１内は、仕切り壁１１２により二つの第１空間部１１３と第２空間部１１４とに分割されている。第１空間部１１３には、モータ１１５により駆動される圧縮機本体１１６、例えばスクリュ式圧縮機本体、この圧縮機本体１１６の吸込み部に設けられた吸込みフィルタ１１７、圧縮機本体１１６の吐出側に設けられた油分離回収器１１８、この油分離回収器１１８にて油分離された圧縮空気が送り出される圧縮空気流路１１９、および油分離回収器１１８にて圧縮空気から分離された油を圧縮機本体１１６に送り出す油供給流路１２１が配置されている。また、圧縮空気流路１１９には保圧弁１２２が介設され、圧縮空気流路１１９はこの保圧弁１２２を介して、外部の圧縮空気使用箇所に延び、油供給流路１２１は三方弁１２３にて二つの流路に分岐している。
【０００４】
一方、第２空間部１１４はパッケージ１１１の上面に形成された空気流出口１２４により外部に連通し、第２空間部１１４における空気流出口１２４の下方に空冷式油クーラ１２５が配置されるとともに、その下方にモータ１２６により駆動されるシロッコファン１２７が配置されている。そして、三方弁１２３にて分岐した二つの流路の内の一方がこの油クーラ１２５の入口部に接続し、油クーラ１２５の出口部から延びる油供給流路１２１の下流側部分が第１空間部１１３内の油フィルタ１２８を経て、圧縮機本体１１６内の空気圧縮空間、軸受・軸封部等の油供給部に至っている。また、三方弁１２３にて分岐した二つの流路の内の他方は、油クーラ１２５を経ないで、直接油供給流路１２１の下流側部分に合流している。なお、図１４において※印同士は直結し、＊印同士も直結することを示している。
【０００５】
そして、油分離回収器１１８からの油の温度が高い場合は、油クーラ１２５側に流れる油の比率が大きくなり、逆に油の温度が低い場合は前記比率が小さくなるように三方弁１２３の流路切換えが行われる。油クーラ１２５は、シロッコファン１２７から送風されており、これにより油クーラ１２５を通過する油が冷却される。また、このパッケージ形油冷式圧縮機１０１の場合、図１５に示すように、シロッコファン１２７から空気が横方向に流出し、シロッコファン１２７の送風口１２９に対向して設けられた縦壁面１３１に当って、縦壁面１３１に沿った方向に、即ちここでは上向きに方向転換して油クーラ１２５に導かれるように冷却空気流路１３２が形成されている。
【０００６】
冷却空気通路１３２はいわば直角曲がりを有する構造である。尚且つ、その冷却空気通路１３２には内面に吸音材１３３が張設されていることから、広い周波数帯において効率的な消音ダクトとして作用し、外部に漏れる騒音が抑制されている。
【０００７】
上述したパッケージ形圧縮機の場合、空気排出口１２４に通じる冷却空気通路１３２に消音のための構成を備えているため、空気排出口１２４から漏出する騒音の低減が可能となっている。しかし、吸気口から漏出する騒音の低減のための構成については開示されておらず、吸気口から騒音が漏出するという問題があった。
【０００８】
また、圧縮機本体からはいわゆる脈動音などの騒音が発生する。その騒音は、圧縮空気流路（上述した例でいえば吐出空気流路１１９）や、空気排出口（上述した例でいえば空気排出口１２４）、吸気口を通じて、パッケージの外部に漏出しやすい。そのため、圧縮空気流路、空気排出口のほか、吸気口（吸気口の周辺の構成）にも、それを通じて漏出する騒音を低減するための構成を備えることが求められる。
【先行技術文献】
【特許文献】
【０００９】
【特許文献１】特許第3773443号公報
【発明の概要】
【発明が解決しようとする課題】
【００１０】
本発明は、前記従来の問題点に鑑みてなされたもので、吸気口やその吸気口の周辺の構成を通じて漏出する騒音を低減可能なパッケージ形圧縮機を提供することを課題とする。
【課題を解決するための手段】
【００１１】
本発明は、前記従来の問題点に鑑みてなされたもので、
圧縮機本体をパッケージ内に収容してなるパッケージ形圧縮機において、
前記パッケージは、ベースの上に複数のフレーム部材が組み合わせられたものに、外壁を周設して、略直方体状に構成されてなり、
前記パッケージの外部から前記圧縮機本体の吸込み口まで通じる吸込みダクトが設けられ、
前記吸込みダクトは、その上面の縁に、外側に突出した鍔部を有し、
前記フレーム部材のうち、上方に位置し、略水平に延びるフレーム部材の上面で、前記吸込みダクトの前記鍔部を支持するよう構成されてなり、
前記吸込みダクトの上面に配設されたパッケージ外壁が、略矩形の平面部とその平面部の周辺から略垂直に下方に延びる周縁部からなるパッケージ外板と、そのパッケージ外板の平面部に付設された吸音材とにより構成されてなり、
前記吸込みダクトの前記鍔部を支持する前記フレーム部材の上面で、且つ、前記吸込みダクトの前記鍔部を支持する部位より外側の部位で、前記パッケージ外壁の周縁部を支持するよう構成されてなるものである。
【００１２】
前記構成により、吸込みダクトに設けた鍔部をフレーム部材の上面で気密に支持することで、パッケージ形圧縮機のパッケージの内部の空間とパッケージの外部の空間とを遮断し、パッケージの内部の空間から発生する騒音を外部の空間に漏出することを簡単な構成で抑制することができる。
【００１４】
この吸音材は、パッケージ形圧縮機のパッケージの内部で発生した騒音を吸収し、騒音がパッケージの外部に漏出することを抑制する役割を果たす。また、フレーム部材が上面で、且つ、前記吸込みダクトの前記鍔部を支持する部位より外側の部位でパッケージ外壁の周縁部を支持することで、上述のパッケージの内部の空間から発生する騒音を外部の空間に漏出することを抑制する効果はより一層顕著となる。
【００１５】
前記パッケージ外壁の周縁部の下端部にはパッキンが周設されることが好ましい。
これにより、パッケージ外壁の周縁部とフレーム部材とを、より一層密閉するのでパッケージ外壁の周縁部における騒音漏出の抑制効果を更に高めることができる。
【００１６】
前記パッケージ外壁の周縁部と、前記吸音材の周囲との間に間隙が設けられてなり、
前記吸込みダクトの前記鍔部を支持する前記フレーム部材の上面から略垂直に延びる板部材が、前記間隙に位置するよう、設けられてなることが好ましい。
【００１７】
前記吸込みダクトの前記鍔部を支持する前記フレーム部材の上面がその端に略垂直に上方に向かって延びる立ち上がり部を有し、
前記鍔部がその端に略垂直に下方に向かって延びる垂下部を有し、前記立ち上がり部が前記垂下部よりも前記吸込みダクト側に位置することが好ましい。
板部材や立ち上がり部、垂下部が設けられることにより、これらがラビリンスの構造を形成し、パッケージ内部の空間から発生する騒音を外部空間に漏出することを抑制する効果が、より一層顕著となる。
【発明の効果】
【００１８】
吸込みダクトに鍔部を設け、この鍔部をフレーム部材の上面で気密に支持することで、パッケージ形圧縮機のパッケージの内部の空間とパッケージの外部の空間とを遮断し、パッケージの内部の空間から発生する騒音を外部の空間に漏出することを簡単な構成で抑制することができる。
【図面の簡単な説明】
【００１９】
【図１】本発明に係るパッケージ形圧縮機の正面図。
【図２】図１の背面図。
【図３】図１の上面図。
【図４】図１の右側面図。
【図５】図１の吸込みダクトと圧縮機本体の左側面図。
【図６】図５の正面図。
【図７】図５の吸込みダクトの分解斜視図。
【図８】図３のＡ−Ａ線断面図。
【図９】図８のＢ部部分拡大断面図。
【図１０】図９の変形例を示す部分拡大断面図。
【図１１】図１０の変形例を示す部分拡大断面図。
【図１２】図７の吸込みダクト変形例を示す分解斜視図。
【図１３】図１０の更なる変形例を示す部分拡大断面図。
【図１４】従来のパッケージ形圧縮機の全体構成の概略を示す図。
【図１５】図１４のシロッコファンから油クーラに至る冷却空気流路の部分拡大断面図。
【発明を実施するための形態】
【００２０】
次に、本発明の実施形態を図面にしたがって説明する。
【００２１】
図１は、本発明に係るパッケージ形圧縮機１１の全体の構成図を示す。このパッケージ形圧縮機１１は、圧縮機本体１２（図５および図６参照）をパッケージ内に収容してなるパッケージ形圧縮機である。
【００２２】
パッケージ形圧縮機１１は、まず、種々の付帯設備を載置するためのベース１３を備えている。そして、そのベース１３の上に、複数のフレーム部材、すなわち、後述する複数のパッケージ支柱とパッケージ梁が組み合わせて、設けられている。
【００２３】
具体的には、図１と図２に示すように、前面に向かってベースの四方のまず前方左隅にパッケージ支柱１６が、前方右隅にパッケージ支柱１７が、後方右隅にパッケージ支柱１８が、後方左隅にパッケージ支柱１９が立設されている。そして、ベース後方の、パッケージ支柱１８と、パッケージ支柱１９との間には、それらとほぼ等間隔でパッケージ支柱２１、２２が立設されている。また、図４に示すように、ベースの右側の、パッケージ支柱１７とパッケージ支柱１９との間には、パッケージ支柱２４が立設されている。また、（左側面図が割愛されているため、図示されていないが）ベースの左側の、パッケージ支柱１６とパッケージ支柱１８との間には、パッケージ支柱２５（図３参照）が立設されている。
【００２４】
そして、パッケージ梁２６が前方上方に、パッケージ梁２７が後方上方に、パッケージ梁２８が左側上方に、パッケージ梁２９が右側上方に位置するように配されている。更に、パッケージ梁２８とパッケージ梁２９との間には、ほぼ等間隔でパッケージ梁３１、３２が設けられている。すなわち、これら各パッケージ支柱とパッケージ梁により略直方体状のフレームが構成されている。そして、その略直方体状に組み合わせられたフレームに、複数の外壁が周設され、パッケージ形圧縮機全体が略直方体状に構成されている。
【００２５】
パッケージ形圧縮機１１は、外部から外気を取り込むためパッケージ形圧縮機１１の背面上方に設けられたダクト開口３５から、圧縮機本体１２の吸込み口まで通じる吸込みダクト４１を備えている。
【００２６】
図５から図７はこのパッケージ形圧縮機１１の内部の上方左方に配される吸込みダクト４１の構成を示すものである。図５は、吸込みダクト４１の左側面図、図６は吸込みダクト４１の正面図である。なお、図５、図６には吸込みダクト４１と接続される圧縮機本体１２の一部も併せて記載している。図７は吸込みダクト４１の斜視図である。図８は吸込みダクト４１の鉛直方向での断面図であり、図３のＡ−Ａ線断面図である。図９は図８の部分拡大断面図であり、図１０は図９の変形例を示す部分拡大断面図である。
【００２７】
吸込みダクト４１は、図５から図７に示すように、ダクト開口３５に一致する吸込み口４２から空気を吸込み、この空気を案内する空気通路４３に設置された邪魔板部材４４で流れを屈曲させる。続いて、フィルタ収容部４６に固定された円筒状の吸込みフィルタ４７を通過させ、余分な不浄物質を取り除いたあと、下方に開口した吐出口４８に清浄な空気を誘導するように構成されている。なお、図８に示すように、吸込みダクト４１の空気通路４３側内部には、底面および側面に沿って連続気泡のウレタンなどからなる吸音材４９が張設されている。
【００２８】
吸込みダクト４１は、その上面の縁から外方に突出した鍔部５１を有している。鍔部５１は吸込ダクト４１の長手方向に沿って延び、吸込ダクト４１に一体に設けられている。この鍔部５１が、図８と図９に示すように、パッケージ梁２８、３１の上面と係合するので、吸込ダクト４１は鍔部５１を介して前記パッケージ梁２８、３１に気密に支持されている。
【００２９】
略矩形の平面部５６とこの平面部５６の周縁から略垂直下方に延びる周縁部５７からなるパッケージ外板５８と、このパッケージ外板５８の平面部５６に付設された吸音材４９とがパッケージ外壁５９を構成している。以下、パッケージ梁２８がパッケージ外壁５９を支持する構成を説明するが、パッケージ梁３１も同様の構成でパッケージ外壁５９を支持している。吸込みダクト４１の鍔部５１を支持するパッケージ梁２８の上面で、且つ、その吸込みダクト４１の鍔部５１を支持する部位より外側の部位で、パッケージ梁２８が前記吸込みダクト４１の上方に配設されたパッケージ外壁５９の周縁部５７を支持するよう構成されている。
【００３０】
吸込みダクト４１の吸込みフィルタ収容部４６は箱形状に設けられており、底面に配設された環状のフィルタ固定部６１により吸込みフィルタ４７が固定されている。また、フィルタ収容部４６の角部には開口６２が形成されており、この開口６２に取っ手６３の付いたダクト外板６４が、分離可能に取り付けられる（図７参照）。このダクト外板６４を吸込みフィルタ収容部４６に装着することで、吸込みダクト４１を構成する。このように構成することで、吸込みフィルタ４７の交換や、吸込みフィルタ４７を吸込みダクト４１から取り外し清掃した後、吸込みフィルタ収容部６１に取り付けるといったメンテナンス作業が容易となる。
【００３１】
そして、吐出口４８には、蛇腹状のダクトホース３６が接続されている（図５参照）。このダクトホース３６を通過した清浄な空気は、吸調弁３７を介して、圧縮機本体１２に吸込まれ圧縮されるよう構成されている。なお、この実施例にかかるパッケージ形圧縮機１１では１段本体１２ａと２段本体１２ｂとから構成されている。
【００３２】
吸込みダクト４１に設けた鍔部５１をパッケージ梁２８、３１の上面で気密に支持することで、パッケージ形圧縮機１１のパッケージの内部の空間とパッケージの外部の空間とを遮断し、パッケージの内部の空間から発生する騒音を外部の空間に漏出することを、簡単な構成で抑制することができる。
【００３３】
吸音材４９は、空気の流れを屈曲させる上述の邪魔板部材４４や、吸込みダクト４１の支持構造などと相俟って、パッケージ形圧縮機１１のパッケージの内部で発生した騒音を吸収し、騒音がパッケージの外部に漏出させることを抑制する役割を果たす。
【００３４】
パッケージ梁２８の上面で、且つ、その吸込みダクト４１の鍔部５１を支持する部位より外側の部位で、パッケージ梁２８が前記吸込みダクト４１の上方に配設されたパッケージ外壁５９の周縁部５７を支持するので、パッケージの内部と外部とを遮断しパッケージの内部の空間から発生する騒音が外部の空間に漏出することを抑制する効果はより一層顕著となる。
【００３５】
また、図１０に示すように、パッケージ外壁５９の周縁部５７の下端とパッケージ支柱２８の上面との間に、パッキン６６を周設することがより好ましい。パッキン６６には上端から下方に延びる溝６７が形成されており、この溝６７に周縁部５７の下端が嵌入されると共に、パッキン６６の下面がパッケージ支柱２８の上面と当接している。これにより、パッケージ外壁５９の周縁部５７とパッケージ支柱２８とを、より一層密封するので周壁部５７における騒音漏出の抑制効果は更に高まる。なお、パッキン６６は二トリルゴム、フッ素ゴム、シリコーンゴム等の弾性部材からなる。図１０では、パッキン６６が弾性変形する前の形状を理解しやすいよう、その弾性変形する前の形状に近いものを示している。従って、図１０ではパッキン６６の下面がパッケージ支柱２８の上面に食い込むように図示されているが、現実には、パッキン６６の下面はパッケージ支柱２８の上面の形状（略平坦面）に沿って弾性変形し、パッキン６６の下面とパッケージ支柱２８の上面とは互いに気密に当接する。
【００３６】
図１１は、本発明にかかるパッケージ形圧縮機の別の実施例である。
このパッケージ形圧縮機１１ではパッケージ外壁５９の周縁部５７と、前記吸音材４９の周囲との間に間隙Ｌが設けられてなる。そして前記吸込みダクト４１の前記鍔部５１を支持する前記パッケージ支柱２８の上面から略垂直に延びる板部材６７が、前記間隙Ｌに位置するよう、設けられている。すなわち、この実施例では、パッケージ外壁５９のパッケージ外板５８の周縁部５７と、上述の板部材６７等によって、いわばラビリンスの構造が形成されている。そのラビリンスの構造によって、遮音の効果が高まり、パッケージの内部の空間から発生する騒音を外部の空間に漏出することを抑制する効果はより一層顕著となる。
【００３７】
図１２と図１３は、本発明に係るパッケージ形圧縮機の別の実施例である。図１２は吸込みダクト７１の分解斜視図である。また、図１３は吸込みダクト７１をパッケージ形圧縮機７２に装着した状態を示す図９に対応する部分拡大断面図である。また、図７の実施形態と同一の要素には同一の符号を付して説明を省略する。
【００３８】
吸込みダクト７１の鍔部７３は、吸込みダクト７１の上面の縁から上方に延びる鉛直部７５と、この鉛直部７５の上端から外方に向かって水平に延びる水平部７６と、この水平部７６の端部から略鉛直に下方に向かって延びる垂下部７７とを備えている。フィルタ収容部７９は湾曲した開口８０を有する。また、ダクト外板８３は、開口８０に一致するように上面視が円弧形状に形成された側壁と、取っ手６３と、吸込みフィルタ４７を載置するフィルタ支持台８２を有する。そして、フィルタ支持台８２に吸込みフィルタ４７が載置された状態で、ダクト外板８３の側壁が開口８０を覆うように、ダクト外板８３はフィルタ収容部７９に装着される。このように、フィルタ支持台８２に吸込みフィルタ４７が載置された状態で、ダクト外板８３の、ひいては吸込みフィルタ４７のフィルタ収容部７９への脱着が可能なため、吸込みフィルタ４７に係るメンテナンス作業が容易となる。
【００３９】
このパッケージ形圧縮機７２では、吸込みダクト７１の鍔部７３を支持するパッケージ梁８５の上面８６が端部に略垂直に上方に向かって延びる立ち上がり部８７を有している。また、パッケージ外板８９の平面部９２が吸込みダクト７１の外枠９３よりも外方に突出し、この平面部９２の端部から周縁部９１が垂下している。このとき、前記立ち上がり部８７が周縁部９１よりも吸込みダクト７１の近傍に位置している。すなわち、この実施例では、パッケージ外壁８８のパッケージ外板８９の周縁部９１と、パッケージ支柱８５の上面８６の立ち上がり部８７、鍔部７３の垂下部７７等によって、いわばラビリンスの構造が形成されている。そのラビリンスの構造によって、遮音の効果が高まり、パッケージの内部の空間から発生する騒音を外部の空間に漏出することを抑制する効果はより一層顕著となる。
【符号の説明】
【００４０】
１１  パッケージ形圧縮機
１２  圧縮機本体
１３  ベース
２８  パッケージ梁（フレーム部材）
３１  パッケージ梁（フレーム部材）
４１  吸込みダクト
４９  吸音材
５１  鍔部
５６  平面図
５７  周縁部
５８  パッケージ外板
５９  パッケージ外壁
６６  パッキン
６７  板部材
７７  垂下部
８７  立ち上がり部
【図１】
0005490644.tif 000002
【図２】
0005490644.tif 000003
【図３】
0005490644.tif 000004
【図４】
0005490644.tif 000005
【図５】
0005490644.tif 000006
【図６】
0005490644.tif 000007
【図７】
0005490644.tif 000008
【図８】
0005490644.tif 000009
【図９】
0005490644.tif 000010
【図１０】
0005490644.tif 000011
【図１１】
0005490644.tif 000012
【図１２】
0005490644.tif 000013
【図１３】
0005490644.tif 000014
【図１４】
0005490644.tif 000015
【図１５】
0005490644.tif 000016